(57)【要約】【課題】洗浄槽の開口部と扉体のシール性が高く、且つ扉体の操作性も良い食器洗い機を提供する。【解決手段】洗浄槽２の開口部５内面に沿うように、第１のシール部１１ａと第２のシール部１１ｂからなるシール部材１１を一体で取り付ける。扉体閉成状態で下扉当接部１２ａと上扉当接部１３ｂが第１のシール部１１ａを所定量シールすることで、第１のシール部１１ａは変形し第２のシール部１１ｂが下扉当接部１２ａと上扉当接部１３ｂの外側面をシールするように内倒れするので、第１のシール部１１ａだけを圧縮する扉体閉塞力で２重シールを実現可能となる。同じく扉体閉成状態で、上扉上辺当接部１３ａが第１のシール部を所定量シールすることで、第１のシール部１１ａは変形し第２のシール部１１ｂが上扉上辺当接部１３をシールするように上方へ変形するので、第１のシール部１１ａだけを圧縮する扉体閉塞力で２重シールを実現可能となる。【選択図】図３
2011019601.tif 000002
【特許請求の範囲】
【請求項１】
洗浄水を噴射して被洗浄物を洗浄する食器洗い機であって、
被洗浄物を出し入れするための開口部を前面部に有する本体と、
洗浄水を前記洗浄槽内に噴射する洗浄ノズルと、
前記前面部の上部及び側部に設けられるシール部材と
前記開口部を開閉し前記シール部材と当接する当接部を有する扉体と、
を備え、
前記シール部材は第１のシール部と前記第１のシール部に一体で形成された第２のシール部とを備え、
前記扉体が前記開口部を閉塞する際に、前記第１のシール部が前記当接部に押圧されて弾性的に変形し、前記第２のシール部が前記第１のシール部の変形に連動して変位することにより前記当接部と当接する食器洗い機。
【請求項２】
前記前面部の上部に位置する前記第２のシール部材は、前記当接部との当接位置が前記第１のシール部と前記当接部との当接位置より前記洗浄槽の外側に位置する請求項１に記載の食器洗い機。
【請求項３】
前記前面部の側部に位置する前記第２のシール部材は、前記当接部との当接位置が前記第１のシール部と前記当接部との当接位置より前記洗浄槽の内側に位置する請求項１又は２に記載の食器洗い機。
【請求項４】
前記第１のシール部のうち前記当接部と当接する部分が突起部を有している請求項１から３に記載の食器洗い機。
【請求項５】
前記第１のシール部の断面形状が略円形状である請求項１から４に記載の食器洗い機。
【発明の詳細な説明】
【技術分野】
【０００１】
本発明は、食器等を洗浄する食器洗い機に関するもので、特に食器洗い機のシール構成に関するものである。
【背景技術】
【０００２】
従来のこの種の食器洗い機は、図５〜６に示すように構成されている（例えば、特許文献１参照）。
【０００３】
以下、その構成について説明する。食器洗い機は、食器等の被洗浄物を洗浄槽１０１に収納し、洗浄槽１０１に設けた前面開口部１０２を、扉体１０３により閉塞してから、洗浄ポンプ１０４を運転し、洗浄ポンプ１０４によって加圧された洗浄水を洗浄ノズル１０５から噴射することにより、被洗浄物の洗浄およびすすぎ工程を行うようになっている。前面開口部１０２には弾性体（例えばゴム）で形成されたシール部材１０６が設けられている。シール部材１０６は第１のシール部１０６ａと第２のシール部１０６ｂとで構成されており、扉体１０３に設けられた当接部１０７と第１のシール部１０６ａと第２のシール部１０６ｂが２重で圧接することにより前面開口部１０２と扉体１０３の間において高いシール性を実現している。
【先行技術文献】
【特許文献】
【０００４】
【特許文献１】特開平０６−１５４１４６号公報
【発明の概要】
【発明が解決しようとする課題】
【０００５】
しかしながら、上記従来の食器洗い機では、扉体を閉塞するときに当接部と第２のシール部が擦れるため、このとき発生する摩擦力により扉体の閉塞動作が重たくなる上に、第２のシール部が毎回当接部に擦れるためすぐに劣化してしまい、第２のシール部での水密性が著しく低下してしまう、という課題を有している。
【０００６】
本発明は、上記従来の課題を解決するもので、第１のシール部と第２のシール部による２重シールにより高いシール性を実現し、扉体の閉塞動作も軽く、第１及び第２のシール部での水密性も低下し難く高品質な食器洗い機を提供することを目的とする。
【課題を解決するための手段】
【０００７】
前記従来の課題を解決するために、本発明の食器洗い機は、洗浄水を噴射して被洗浄物を洗浄する食器洗い機であって、被洗浄物を出し入れするための開口部を前面部に有する本体と、洗浄水を洗浄槽内に噴射する洗浄ノズルと、前面部の上部及び側部に設けられるシール部材と開口部を開閉しシール部材と当接する当接部を有する扉体と、を備え、シール部材は第１のシール部と第１のシール部に一体で形成された第２のシール部とを備え、扉体が開口部を閉塞する際に、第１のシール部が当接部に押圧されて弾性的に変形し、第２のシール部が第１のシール部の変形に連動して変位することにより当接部と当接する構成とした。この構成により、扉体の閉成時に、第２のシール部によるシールは第１のシール部の変形動作により行われるため、第１のシール部を変形させるのに必要な扉体への操作力だけで、第１のシール部と第２のシール部による２重シールを実現したものであり、操作性とシール性を両立し、さらに第２のシール部の劣化を著しく抑制した高品質な食器洗い機を実現できる。
【発明の効果】
【０００８】
以上のように本発明によれば、扉体の閉塞するための力を小さくし、さらに２重シールするためのシール部材の劣化を抑制した高品質な食器洗い機を提供することができる。
【図面の簡単な説明】
【０００９】
【図１】本発明の第１の実施の形態における食器洗い機の扉体開成時の斜視図
【図２】同食器洗い機の側面縦断面図
【図３】（ａ）扉体の当接部が第１のシール部に当接する直前の、同食器洗い機の図１中のＡ−Ａ断面図、（ｂ）扉体の当接部が第１のシール部に当接する時の、同食器洗い機の図１中のＡ−Ａ断面図、（ｃ）扉体の当接部が第１のシール部に押圧している、同食器洗い機の図１中のＡ−Ａ断面図、（ｄ）第１のシール部に突起部が無い場合における、扉体の当接部が第１のシール部に押圧している、同食器洗い機の図１中のＡ−Ａ断面図
【図４】（ａ）扉体の当接部が第１のシール部に当接する直前の、同食器洗い機の図１中のＢ−Ｂ断面図、（ｂ）扉体の当接部が第１のシール部に当接する時の、同食器洗い機の図１中のＢ−Ｂ断面図、（ｃ）扉体の当接部が第１のシール部に押圧している、同食器洗い機の図１中のＢ−Ｂ断面図
【図５】従来の食器洗い機の側面縦断面図
【図６】従来の食器洗い機のシール部詳細図
【発明を実施するための形態】
【００１０】
第１の発明は、洗浄水を噴射して被洗浄物を洗浄する食器洗い機であって、被洗浄物を出し入れするための開口部を前面部に有する本体と、洗浄水を洗浄槽内に噴射する洗浄ノズルと、前面部の上部及び側部に設けられるシール部材と開口部を開閉しシール部材と当接する当接部を有する扉体と、を備え、シール部材は第１のシール部と第１のシール部に一体で形成された第２のシール部とを備え、扉体が開口部を閉塞する際に、第１のシール部が当接部に押圧されて弾性的に変形し、第２のシール部が第１のシール部の変形に連動して変位することにより当接部と当接する食器洗い機である。この構成により、扉体の閉成時に、第２のシール部によるシールは第１のシール部の変形動作により行われるため、第１のシール部を変形させるのに必要な扉体への操作力だけで、第１のシール部と第２のシール部による２重シールを実現したものであり、操作性とシール性を両立し、さらに第２のシール部の劣化を著しく抑制した高品質な食器洗い機を実現できる。
【００１１】
第２の発明は、特に、第１の発明において、前面部の上部に位置する第２のシール部材は、当接部との当接位置が前記第１のシール部と当接部との当接位置より洗浄槽の外側に位置する構成としたものである。この構成により、扉体の当接部や第１のシール部に残菜等の異物が付着し第１のシール部のシールが不完全な状態で運転しても、第２のシール部でシールすることで機外への水漏れや、蒸気漏れを防止することが可能であり、高いシール性を実現できる。
【００１２】
第３の発明は、特に、第１又は第２の発明において、前面部の側部に位置する前記第２のシール部材は、前記当接部との当接位置が前記第１のシール部と前記当接部との当接位置より前記洗浄槽の内側に位置する構成としたものである。この構成により、第２のシール部が手前でガードすることにより第１のシール部への洗浄水の直撃を防止することが可能であり、高いシール性を実現できる。
【００１３】
第４の発明は、特に、第１乃至第３の発明において、第１のシール部のうち当接部と当接する部分が突起部を有しているものであり、当接部が第１のシール部に当接する際に、当接部に突起部を引掛けることで摩擦力を発生させ、第１のシール部の横滑りによる変形動作不良を防止し、所定の変形動作を確実に実現することが可能であり、高いシール性を実現できる。
【００１４】
第５の発明は、特に、第１乃至第４の発明において、第１のシール部の断面形状が略円形状である食器洗い機であり、当接部が第１のシール部を圧接する方向が、扉体の部位によって異なる場合であっても、シール部材を分割して別パーツにする必要がなく、シールのつなぎ目がないので高いシール性を実現できる。
【００１５】
（実施の形態１）
図１〜図４は、本発明の第１の実施の形態における食器洗い機の各図を示している。
【００１６】
洗浄水を噴射して食器３などの被洗浄物を洗浄する食器洗い機は、本体１内部に洗浄槽２が設けられている。また、本体１は前面部２０に食器３などを出し入れするための開口部５を有している。洗浄槽２の内部には、食器３などの被洗浄物をセットする食器かご４が開口部５から出し入れ可能に収納されている。食器かご４は、洗浄槽２の下部に配置された下食器かご４ａと洗浄槽２の上部に配置された上食器かご４ｂとで構成されている。開口部５は、扉体６により開閉されるよう構成されている。
【００１７】
扉体６は、下扉体６ａと上扉体６ｂとを有している。下扉体６ａは、開口部５下端部で下支持軸７ａにより回転自在に軸支され、開口部５の前下方にその内面が上向き略水平となる位置まで開成する。上扉体６ｂは、洗浄槽２の側壁で上支持軸７ｂにより回転自在に軸支され、本体１上面に被さるように開成する上扉体６ｂとで構成されている。
【００１８】
洗浄槽２下部には、主に下食器かご４ａにセットされた食器３に洗浄水を噴射して洗浄する下回転洗浄ノズル８ａが設けられている。洗浄槽２上部には、主に上食器かご４ｂにセットされた食器３に洗浄水を噴射して洗浄する上洗浄ノズル８ｂが設けられている。また、洗浄槽２下方には、下回転洗浄ノズル８ａと上洗浄ノズル８ｂへ洗浄水を供給する洗浄ポンプ９が配置されている。
【００１９】
前面部２０の周囲の上部及び側部には、弾性体で形成された（例えばシリコンゴム）シール部材１１が内側壁１０に沿うように設けられている。シール部材１１は、第１のシール部１１ａと第２のシール部１１ｂと突起部１１ｃとを有している。第１のシール部１１ａは、断面形状が中空の略円形である。第２のシール部１１ｂは、第１のシール部１１ａの外周に突出して設けられ、第１のシール部の円形断面の中心より洗浄槽２の内側壁１０側に設けられたリップ形状である。突起部１１ｃは、第１のシール部に設けられ、第１のシール部１１ａの外周で円形断面の略中心に設けられた突起形状で形成されている。なお、シール部材１１は長手方向で分割されることなく、逆Ｕ字上に連続的に一体で形成されている。
【００２０】
下扉体６ａには、扉体６閉成状態で第１のシール部１１ａの略中心より洗浄槽２内方を所定の締め代で圧接する下扉当接部１２ａが設けられている。下扉当接部１２ａの洗浄槽２内方には、下扉防水リブ１２ｂが扉体閉成状態で第１のシール部１１ａを完全に覆うよう構成されている。なお、下扉防水リブ１２ｂは、下扉体６ａの開閉動作で第１のシール部１１ａと当接することのないように、扉体６の閉成状態で第１のシール部１１ａに対して所定の隙間を有するように形成されている。
【００２１】
上扉体６ｂの上辺には、扉体６閉成状態で第１のシール部１１ａの略中心より洗浄槽２外方を所定の締め代で圧接する上扉上辺当接部１３ａが設けられている。上扉体６ｂの側辺には下扉体６ａと同様に、扉体閉成状態で第１のシール部１１ａの略中心より洗浄槽２内方を所定の締め代で圧接する上扉当接部１３ｂが設けられている。上扉当接部１３ｂの洗浄槽２内方には、上扉防水リブ１３ｃが扉体６閉成状態で第１のシール部１１ａを完全に覆うよう構成されている。なお、上扉防水リブ１３ｃは、上扉体６ｂの開閉動作で第１
のシール部１１ａと当接することのないように、扉体６の閉成状態で第１のシール部１１ａに対して所定の隙間を有するように形成されている。
【００２２】
開口部５の上コーナー部（図１中のＺ部）では、上扉体６ｂのシール面はねじれ曲面となっており、第１のシール部１１ａの筒形状への圧接方向は、本体１の前後方向（上扉体６ｂの側辺の圧接）から、本体１の上下方向（上扉体６ｂの上辺の圧接）に徐々に変化する。上扉防水リブ１３ｃは上コーナー部で徐々に高さが低くなり、コーナー略中央部でなくなる。以上のように構成された食器洗い機についてその作用を説明する。
【００２３】
食器３のセットは、下扉体６ａ、上扉体６ｂを開放し、下食器かご４ａ、上食器かご４ｂを引き出してから行う。食器３のセット完了後、下食器かご４ａ、上食器かご４ｂを洗浄槽２内に押し入れて、下扉体６ａ、上扉体６ｂで開口部５を閉塞する。この時、下扉当接部１２ａ、上扉上辺当接部１３ａ、上扉当接部１３ｂによって第１のシール部１１ａを所定量圧接変形させる必要があるが第１のシール部１１ａは弾性体で、且つ中空形状をしているので、小さな力で変形させることが可能であり、下扉体６ａ、上扉体６ｂを閉塞するのに大きな力を必要とせず閉塞の操作性が良い。
【００２４】
また、扉体６閉塞の際、下扉当接部１２ａと上扉当接部１３ｂが第１のシール部１１ａの略中心より洗浄槽２内方を圧縮することで、第１のシール部１１ａは第２のシール部１１ｂが内側に倒れるように変形する。その結果、扉体６の閉成状態で、第２のシール部１１ｂが下扉当接部１２ａと上扉当接部１３ｂの外側面と当接するので、２重シールを実現できる。これにより、下扉当接部１２ａや上扉当接部１３ｂや第１のシール部に残菜等の異物が付着し第１のシール部１１ａのシールが不完全な状態で運転しても、第２のシール部１１ｂでシールすることで機外への水漏れや、蒸気漏れを防止することが可能であり、高いシール性を実現できる。
【００２５】
さらに、扉体閉塞の際、下扉当接部１２ａと上扉当接部１３ｂが第１のシール部１１ａに設けた突起部に引っ掛るので、図３（ｄ）のように第１のシール部１１ａが横滑りすることがなく、所定の変形動作を実現できるので、２重シールを確実に実現できる。
【００２６】
また、扉体６閉塞の際、上扉上辺当接部１３ａが第１のシール部１１ａの略中心より洗浄槽２外方を下方に押圧することで、第２のシール部１１ｂが上方に変形する。その結果、扉体の閉成状態で、第２のシール部１１ｂが上扉上辺当接部１３ａと当接するので、２重シールを実現できる。上扉体６ｂは上後方へ開放するため、上扉体６ｂ上辺には、下扉防水リブ１２ｂ、上扉防水リブ１３ｃのような構成がとれないため、シール部１１に洗浄水が直撃するが、第２のシール部のシールにより、第１のシール部１１ａと上扉上辺当接部１３ａのシール部への洗浄水の直撃を防止することが可能であり、高いシール性を実現できる。
【００２７】
第１のシール部１１ａのシール方向（押圧方向）は、前面部２０の側辺及び上辺でそれぞれ後方及び下方と、異なるが、第１のシール部１１ａの断面形状を略円形状としていることで、連続的になだらかにシール方向を変えることが可能となっている。また、シール部材１１を１部品で形成できるので、分割構成のようなつなぎ目がなく高いシール性を実現できる。
【産業上の利用可能性】
【００２８】
以上のように、本発明にかかる食器洗い機は、洗浄槽の開口部と扉体のシール性が高い高品質な食器洗い機であり、且つ扉体の操作性もよい使い勝手の良い食器洗い機であり、卓上型食器洗い機に限らずビルトイン・業務用の食器洗浄機に適用できる。
【符号の説明】
【００２９】
３  食器（被洗浄物）
２  洗浄槽
８ａ  下回転洗浄ノズル
８ｂ  上洗浄ノズル
５  開口部
１２ａ  下扉当接部
１３ａ  上扉上辺当接部
１３ｂ  上扉体当接部
６ａ  下扉体
６ｂ  上扉体
１１  シール部材
１１ａ  第１のシール部
１１ｂ  第２のシール部
２０  前面部
【図１】
2011019601.tif 000003
【図２】
2011019601.tif 000004
【図３】
2011019601.tif 000005
【図４】
2011019601.tif 000006
【図５】
2011019601.tif 000007
【図６】
2011019601.tif 000008